【事件の表示】
　特許第３３８３１８７号「光偏向器」の請求項１に係る特許に対する特許異議の申立てについて、次のとおり決定する。
【結　論】
　訂正を認める。
　特許第３３８３１８７号の請求項１に係る特許を維持する。
【理　由】
１．手続の経緯・本件発明
　特許第３３８３１８７号の請求項１に係る発明についての出願は、平成９年７月９日に特許出願されたものであって、平成１４年１２月２０日にその特許の設定の登録がなされ、その後、市東　勇により特許異議の申立がなされ、取消理由通知がなされ、その指定期間内の平成１６年２月２日付けで訂正請求がなされたものである。
２．訂正の適否について
２−１．訂正の内容
訂正事項ａ
　明細書中の特許請求の範囲の
「【請求項１】　駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、
　前記ロータは、該ロータの単体としての重量バランスを修正するロータバランス修正部を備え、
　前記回転多面鏡は、該回転多面鏡の単体としての重量バランスを修正するミラーバランス修正部を備えており、
　前記ミラーバランス修正部は、前記回転多面鏡の周方向における所定位置に形成された孔からなることを特徴とする光偏向器。
【請求項２】　請求項１において、前記ミラーバランス修正部を構成する前記孔は、前記回転多面鏡の上端面の対角線上に複数、形成されていることを特徴とする光偏向器。」を、
「【請求項１】　固定軸と、駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、
　前記ロータは、前記固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記ロータの単体としての重量バランスを修正するロータバランス修正部とを備え、
　前記円筒部と前記側面部とは、前記駆動マグネットと前記電機子とを前記ラジアル方向の両側から囲んでおり、
　前記ロータバランス修正部は、前記外周端部の上端面の周方向における所定位置に形成された孔からなり、
　前記回転多面鏡は、該回転多面鏡の単体としての重量バランスを修正するミラーバランス修正部を備えており、
　前記ミラーバランス修正部は、前記回転多面鏡の周方向における所定位置に形成された孔からなることを特徴とする光偏向器。
【請求項２】　駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、
　前記ロータは、該ロータの単体としての重量バランスを修正するロータバランス修正部を備え、
　前記回転多面鏡は、該回転多面鏡の単体としての重量バランスを修正するミラーバランス修正部を備えており、
　前記ミラーバランス修正部は、前記回転多面鏡の周方向における所定位置に形成された孔からなり、
　前記ミラーバランス修正部を構成する前記孔は、前記回転多面鏡の上端面の対角線上に複数、形成されていることを特徴とする光偏向器。」と訂正する。
訂正事項ｂ
　ア）同明細書中の段落番号【０００６】の
「【課題を解決するための手段】
　上記の課題を解決するため、本発明では、駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、前記ロータは、該ロータの単体としての重量バランスを修正するロータバランス修正部を備え、前記回転多面鏡は、該回転多面鏡の単体としての重量バランスを修正するミラーバランス修正部を備えており、前記ミラーバランス修正部は、前記回転多面鏡の周方向における所定位置に形成された孔からなることを特徴とする。」を、
「【課題を解決するための手段】
　上記の課題を解決するため、本発明では、固定軸と、駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、前記ロータは、前記固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記ロータの単体としての重量バランスを修正するロータバランス修正部とを備え、前記円筒部と前記側面部とは、前記駆動マグネットと前記電機子とを前記ラジアル方向の両側から囲んでおり、前記ロータバランス修正部は、前記外周端部の上端面の周方向における所定位置に形成された孔からなり、前記回転多面鏡は、該回転多面鏡の単体としての重量バランスを修正するミラーバランス修正部を備えており、前記ミラーバランス修正部は、前記回転多面鏡の周方向における所定位置に形成された孔からなることを特徴とする。また、本発明の別の形態では、駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、前記ロータは、該ロータの単体としての重量バランスを修正するロータバランス修正部を備え、前記回転多面鏡は、該回転多面鏡の単体としての重量バランスを修正するミラーバランス修正部を備えており、前記ミラーバランス修正部は、前記回転多面鏡の周方向における所定位置に形成された孔からなり、前記ミラーバランス修正部を構成する前記孔は、前記回転多面鏡の上端面の対角線上に複数、形成されていることを特徴とする。」と訂正する。
イ）同明細書中の段落番号【００２１】の
「［その他の実施の形態］
　なお、上記形態では、ロータ４の単体としての重量バランス、および回転多面鏡７の単体としての重量バランスを個々修正するにあたって、回転多面鏡７およびロータ４（ホルダ４０）に孔７９、４９を開けることにより、この部分を軽量化したが、ロータ４（ホルダ４０）については、ロータ４を構成するのに用いたアルミニウムよりも重い鉄などのバランスウェイトを固着し、このバランスウェイトを固着した部分を重くすることによって、重量バランスを修正してもよい。また、ロータバランス修正部として、孔とバランスウェイトとを併用してもよいことは勿論であり、たとえば、孔内にバランスウェイトを配置し、ロータに無駄な凹凸が形成されないようにすれば、ロータは無駄な空気抵抗を受けることがない。」を、
「［その他の実施の形態］
　なお、上記形態では、ロータ４の単体としての重量バランス、および回転多面鏡７の単体としての重量バランスを個々修正するにあたって、回転多面鏡７およびロータ４（ホルダ４０）に孔７９、４９を開けることにより、この部分を軽量化したが、ミラーバランス修正用の孔７９が回転多面鏡７の上端面の対角線上に複数、形成されている構成の場合には、ロータ４（ホルダ４０）については、ロータ４を構成するのに用いたアルミニウムよりも重い鉄などのバランスウェイトを固着し、このバランスウェイトを固着した部分を重くすることによって、重量バランスを修正してもよい。また、ロータバランス修正部として、孔とバランスウェイトとを併用してもよいことは勿論であり、たとえば、孔内にバランスウェイトを配置し、ロータに無駄な凹凸が形成されないようにすれば、ロータは無駄な空気抵抗を受けることがない。」と訂正をする。
２−２．訂正の目的の適否、新規事項の有無及び拡張・変更の存否　
　上記訂正事項ａの請求項１に係る部分については、特許明細書の特許請求の範囲の請求項１に記載されたロータの構成を、「固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記ロータの単体としての重量バランスを修正するロータバランス修正部とを備え、前記円筒部と前記側面部とは、前記駆動マグネットと前記電機子とを前記ラジアル方向の両側から囲んでおり、前記ロータバランス修正部は、前記外周端部の上端面の周方向における所定位置に形成された孔からなる」構成に限定しようとするものであり、明細書の段落００１０、００１１、００１９の記載を根拠とするものである。そして、この特許請求の範囲の訂正は、願書に添付した明細書に記載した事項の範囲内においてなされたものであり、実質上特許請求の範囲を拡張し、又は変更するものではなく、特許法第１２０条の４第２項のただし書き第１号に規定する特許請求の範囲の減縮に該当するものである。
　また、上記訂正事項ａの請求項２に係る部分については、特許異議の申立がされていない請求項２記載の発明を従属形式から独立形式に変更したことにより、表現形式を明りょうにしたものであるから、特許法第１２０条の４第２項第３号に規定する明りょうでない記載の釈明に該当するものである。
　上記訂正事項ｂについては、上記訂正事項ａで示す特許請求の範囲の訂正に伴い、特許請求の範囲と、明細書の詳細な説明の記載との整合性をとるため、課題を解決するための手段および発明の実施の形態を訂正したもので、この訂正は、願書に添付した明細書に記載した事項の範囲内においてなされたものであり、実質上特許請求の範囲を拡張し、又は変更するものではなく、特許法第１２０条の４第２項第３号に規定する明りょうでない記載の釈明に該当するものである。
２−３．訂正の適否に対するむすび
　以上のとおり、本件訂正は、特許法第１２０条の４第２項及び同条第３項において準用する特許法第１２６条第２項及び第３項の規定に適合するので、当該訂正を認める。
３．特許異議申立の理由及び取消理由通知の概要
　特許異議申立人は、証拠として甲第１号証（特開平６−２０８０７５号公報）、甲第２号証（特開平５−１００１７８号公報）、甲第３号証（特開平８−７６０４６号公報）を提出し、本件の訂正前の請求項１に係る発明は、特許法第２９条第２項の規定に該当するものであるから、本件の訂正前の請求項１に係る発明の特許は取り消されるべきものである旨主張している。
　そして、上記特許異議申立と同趣旨の取消理由通知を平成１５年１１月２１日付けで通知した。
４．当審の判断
４−１．本件発明
　上記２．で示したように上記訂正が認められるから、本件の請求項１に係る発明（以下、「本件発明」という。）は、訂正明細書の特許請求の範囲の請求項１に記載された事項により特定される次のとおりのものである。
「【請求項１】　固定軸と、駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、
　前記ロータは、前記固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記ロータの単体としての重量バランスを修正するロータバランス修正部とを備え、
　前記円筒部と前記側面部とは、前記駆動マグネットと前記電機子とを前記ラジアル方向の両側から囲んでおり、
　前記ロータバランス修正部は、前記外周端部の上端面の周方向における所定位置に形成された孔からなり、
　前記回転多面鏡は、該回転多面鏡の単体としての重量バランスを修正するミラーバランス修正部を備えており、
　前記ミラーバランス修正部は、前記回転多面鏡の周方向における所定位置に形成された孔からなることを特徴とする光偏向器。」
４−２．甲各号証記載の発明
甲第１号証には、図面とともに、
「【００２０】
【実施例】図１は本発明の偏向走査装置の第１実施例の一部分を示す部分断面図であって、本実施例の偏向走査装置Ａ1は外箱１内に配置された台盤２、該台盤２に支持された軸受３、該軸受３に回転自在に支承された回転軸４を備えており、軸４と一体であるフランジ５に固着されたロータ６と台盤２に固定されたステータ７によって駆動モータＭ1が構成されている。回転多面鏡８は軸４の図示上端付近に嵌着された弾性押圧手段である押えバネ９によってフランジ５に押圧され、これによってロータ６と一体的に結合される。」(段落００２０)、
「【００２３】
前記ロータ６はその外周壁の一部を切削して形成されたバランスウエイト取付用の回転軸４の中心を中心とする同心円状の凹所である環状溝１１を備え、また、回転多面鏡８の表面には、バランスウエイト取付用の回転軸４の中心を中心とする同心円状の凹所である環状溝３２ａ，３２ｂを構成している。
【００２４】
前記環状溝１１および環状溝３２ａ，３２ｂおよび環状凹所には、それぞれバランスウエイト１３，３４ａ，３４ｂを取付けるためのもので、その取付けは以下のように行われる。
【００２５】
モータＭ1の駆動により、軸４に一体的に結合されたロータ６，フランジ５，回転多面鏡８および押えバネ９からなる回転体を回転させてこれに発生する動的不均衡を測定し、測定された動的不均衡を解消するバランスウエイトの取付位置を前記環状溝１１および環状溝３２ａ，３２ｂおよび環状溝凹所１２において選定する。該バランスウエイトの必要量を算出し、これに基づいて各バランスウエイト１３，３４ａ，３４ｂの取付けを行う。各バランスウエイト１３，３４ａ，３４ｂの取付位置は、前記環状溝１１および環状溝３２ａ，３２ｂおよび環状凹所１２のそれぞれの任意の位置に選定することが可能であり、さらに前記環状溝１１、および環状溝３２ａ，３２ｂおよび環状凹所１２は、前記軸４の半径方向に互いに離間した位置に配置されているため、それぞれに取付けるバランスウエイト１３，３４ａ，３４ｂの比率および周方向の相対位置を適切に設定することによって、軸４の中心軸方向に大きな不釣合を発生させることなく前述の動的不均衡を大幅に軽減することができる。
【００２６】
その結果、回転多面鏡８の回転に伴う振動を大幅に軽減し、騒音の抑制および偏向走査装置Ａ1の性能低下を防ぐことができる。なお、ロータ自体の質量の不均一による動的不均衡については、ロータ６を軸４に組付ける前に公知の方法でこれを解消しておくのが望ましい。また、前記バランスウエイト１３，３４ａ，３４ｂは未硬化の接着剤を主成分とするものを用いれば量の調節および取付けが容易であり、かつこれに固体材料の粒子であるガラス，ビーズ，セラミックまたは金属等の粉末を混入することによって接着剤の使用量を少なくすることができる。」(段落００２３〜００２６)、
が記載されている。
甲第２号証には、図面とともに、
「【０００５】
前記固定軸１５に対して回転可能に支持される回転軸部材２０は、上部に回転多面鏡１１を、下部にはロータマグネット３０を設けたロータ部材２５を配置し、該ロータ部材２５に設けたロータマグネット３０と、光学箱２に配置したステータコイル３１とによってモータを構成している。前記ロータマグネット３０はロータ部材２５の下面に接着されており、ベース部材２ａに設けた溝３には、ステータコイル３１とステータヨーク３２とが配置される。そして、前記ステータコイル３１に対して制御回路３５を配置し、該制御回路でのスイッチング（オン／オフ）により、電流がパルス状に供給されると、図の上下方向に強力な磁界が発生氏、モータの駆動を行う。また、前記ステータヨーク３２は、ステータコイル３１から出力される下向きの磁界を上向に戻して、モータの効率を向上させる
働きを行うようにする。」(段落０００５)、
「【０００７】
前記駆動モータにおいては、動バランスの調整手段の他に、固定軸１５の上部に上リング１７を設け、ベアリング１９との間に予圧スプリング１８を配置し、上部のベアリング１９の内輪を下方に向けて押圧している。また、下部のベアリング１９ａに対しては、ベース部材２ａに設けた溝４と、回転軸部材２０の下部の突起部材とにより、ラビリンスシールが形成されており、該ベアリング内の潤滑油が外部に飛散しないようにされる。さらに、前記ロータ部材２５と回転多面鏡１１との間には、スプリング２３を配置し、回転多面鏡１１を回転軸部材２０の上段部２１に向けて押圧し、回転多面鏡が回転軸部材とともに回転されるようにしている。」(段落０００７)、
「【００１１】
前記図４に示されるように、回転軸部材に対して回転多面鏡を支持させる場合に、回転軸部材２０と回転多面鏡１１との間の嵌合部２２には、５?５０μの隙間（嵌合隙間）が存在する。そして、前記嵌合部２２での隙間があっても、低速回転の場合には、その隙間の影響は大きく発生することはない。しかし、１００００RPM 以上の高速回転を行う場合には、回転多面鏡の遠心力や熱変形、熱衝撃等によって、前記隙間の部分だけ回転多面鏡の固定位置が径方向にズレを発生するという問題がある。したがって、回転多面鏡やロータ部材等に対して、正確に動バランスの調整を行ったとしても、回転体として組み立てた際には、その動バランスが狂ってしまうという問題がある。また、ネジ等を用いる固定手段を用いる場合には、回転多面鏡に対して強い締め付け力が働き、の反射鏡面に狂いが発
生するために、画像情報の精密な走査が困難になる。」（段落００１１）、
が記載されている。
甲第３号証には、図面とともに、
「【００１５】
図３は第３の実施例の構成図であり、ロータ１４の斜視図を示している。この第３の実施例では、バランスウェイトW1〜W3を付加せずに、ロータ１４の上面１４ａ、下面１４ｂの一部を切削部１４ｅとして削り取ることで、回転体の動的不釣合量の修正を行うことにより、第１の実施例を同様の効果が得られる。
【００１６】
なお、切削部１４ｅはロータ１４の上面１４ａ、下面１４ｂのの何れか１面又は両面としてもよく、或いは回転多面鏡１８の上面１８ａに切削部を形成してもよい。」（段落００１５〜００１６）が記載されている。
４−３．対比・判断 
　本件発明は、「ロータは、前記固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記ロータの単体としての重量バランスを修正するロータバランス修正部とを備え、前記円筒部と前記側面部とは、前記駆動マグネットと前記電機子とを前記ラジアル方向の両側から囲んでおり、　前記ロータバランス修正部は、前記外周端部の上端面の周方向における所定位置に形成された孔からなる」点に技術的特徴があるが、甲第１号証には、「円筒部からラジアル方向の外側に向けて張り出した環状の張出部と、この張出部の外周縁から前記固定軸の軸線方向に折れ曲がった円筒状の側面部と、この側面部から外周側に張り出す外周端部」が記載されているだけであり、また甲第２号証には、「ロータの単体としての重量バランスを修正するロータバランス修正部」が記載されているだけで、さらに、甲第３号証には、「円筒部からラジアル方向の外側に向けて張り出した環状の張出部と、この張出部の外周縁から前記固定軸の軸線方向に折れ曲がった円筒状の側面部と、ロータバランス修正部は、前記外周端部の上端面の周方向における所定位置に形成された孔からなる点」が記載されているだけである。つまり、甲第１〜３号証のいずれにも上記技術的特徴についての直接的記載は見いだせない。　
　そして、本件発明は上記技術的特徴によって、明細書記載の効果を奏するものである。  したがって、本件発明は、甲第１〜３号証記載の発明から当業者が容易に発明をすることができたものとはいえない。
５．むすび
　以上のとおり、特許異議申立の理由及び証拠によっては、本件請求項１に係る発明の特許を取り消すことはできない。
　又、他に本件発明の特許を取り消すべき理由を発見しない。 
　よって、結論のとおり決定する。
【異議決定日】
平成１６年２月１６日（２００４．２．１６）
【訂正の要旨】
審決（決定）の【理由】欄参照。
（５４）【発明の名称】
光偏向器
（５７）【特許請求の範囲】
　【請求項１】　
固定軸と、
　前記ロータは、
前記固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記
と
　
前記円筒部と前記側面部とは、前記駆動マグネットと前記電機子とを前記ラジアル方向の両側から囲んでおり、
　
前記ロータバランス修正部は、前記外周端部の上端面の周方向における所定位置に形成された孔からなり、
　前記回転多面鏡は、該回転多面鏡の単体としての重量バランスを修正するミラーバランス修正部を備えており、
　前記ミラーバランス修正部は、前記回転多面鏡の周方向における所定位置に形成された孔からなることを特徴とする光偏向器。
　【請求項２】　
駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、
　
前記ロータは、該ロータの単体としての重量バランスを修正するロータバランス修正部を備え、
　
前記回転多面鏡は、該回転多面鏡の単体としての重量バランスを修正するミラーバランス修正部を備えており、
　
前記ミラーバランス修正部は、前記回転多面鏡の周方向における所定位置に形成された孔からなり、
　前記ミラーバランス修正部を構成する前記孔は、前記回転多面鏡の上端面の対角線上に複数、形成されていることを特徴とする光偏向器。
【発明の詳細な説明】
　【０００１】
　【発明の属する技術分野】
　本発明は、回転多面鏡を備えた光偏向器に関するものである。更に詳しくは、この光偏向器における回転バランスの安定化構造に関するものである。
　【０００２】
　【従来の技術】
　レーザプリンタなどに用いられている光偏向器は、たとえば特開平６−２８４６６６号公報に開示されているように、駆動マグネット１４４が装着されたロータ１０４と、駆動マグネット１４４に対向配置された電機子コア１５２とを有するモータ本体に回転多面鏡１０７が搭載された構成になっている。回転多面鏡１０７にはその中心に嵌め込み孔１７０が形成され、この嵌め込み孔１７にロータ１０４の円筒部１４１が嵌め込まれた状態で、ロータ１０４上に載置されている。また、回転多面鏡１０７は、ミラー押さえばね１０８およびばね押さえ板１０９によって弾性をもってロータ１０４に向けて押し付け固定されている。ここで、回転多面鏡１０７の嵌め込み孔１７０にロータ１０４の円筒部１４１を嵌め込む際に回転多面鏡１０７に過大な応力がかかると、回転多面鏡１０７に歪みが生じることから、回転多面鏡１０７の嵌め込み孔１７０とロータ１０４の円筒部１４１との間には適度なクリアランスが確保されている。
　【０００３】
　このように構成した光偏向器において、回転多面鏡１０７を搭載したロータ１０４全体の重量バランスが崩れていると、回転多面鏡１０７の回転特性が低下して、正確な光走査が行えなくなってしまう。そこで、図３に示す例では、回転多面鏡１０７の上にバランス修正用フランジ１０２を構成しておき、それにバランスウエイト１０３を固着してある。
　【０００４】
　【発明が解決しようとする課題】
　しかしながら、回転多面鏡１０７を搭載したロータ１０４全体の重量バランスをバランス修正用フランジ１０２上のバランスウエイト１０３で修正するだけの対策では、ロータ１０４が高速回転するうちに回転多面鏡１０７がロータ１０４上で位置ずれを起こし、回転バランスが低下するという問題点がある。すなわち、回転多面鏡１０７も含めたロータ１０４全体としての重量バランスを修正しても、回転多面鏡１０７単体の重量バランスがくずれていると、回転多面鏡１０４の嵌め込み孔１７０とロータ１０４の円筒部１４１との間にクリアランスがある以上、回転多面鏡１０７は、ロータ１０４上でミラー押さえばね１０８の押し付け力に抗して横方向にずれてしまうからである。
　【０００５】
　以上の問題点に鑑みて、本発明の課題は、ロータ上での多面鏡の位置ずれを防止することにより、安定した回転バランスを得ることのできる光偏向器を提供することにある。
　【０００６】
　【課題を解決するための手段】
　上記の課題を解決するため、本発明では、
固定軸と、
前記固定軸の外周面とともに動圧軸受けを構成する軸孔を備えた円筒部と、この円筒部からラジアル方向の外側に向けて張り出した環状の張出部と、この張出部の外周縁から前記固定軸の軸線方向に折れ曲がった円筒状の側面部と、この側面部から外周側に張り出す外周端部と、前記
と
前記円筒部と前記側面部とは、前記駆動マグネットと前記電機子とを前記ラジアル方向の両側から囲んでおり、前記ロータバランス修正部は、前記外周端部の上端面の周方向における所定位置に形成された孔からなり、
また本発明の別の形態では、駆動マグネットが装着されたロータと、前記駆動マグネットに対向配置された電機子と、前記ロータ上に載置された回転多面鏡と、該回転多面鏡を前記ロータに向けて弾性をもって押し付け固定するクランプ手段とを有する光偏向器において、前記ロータは、該ロータの単体としての重量バランスを修正するロータバランス修正部を備え、前記回転多面鏡は、該回転多面鏡の単体としての重量バランスを修正するミラーバランス修正部を備えており、前記ミラーバランス修正部は、前記回転多面鏡の周方向における所定位置に形成された孔からなり、前記ミラーバランス修正部を構成する前記孔は、前記回転多面鏡の上端面の対角線上に複数、形成されていることを特徴とする。
　【０００７】
　すなわち、本発明では、回転多面鏡を搭載したロータ全体の重量バランスだけを修正してあるのではなく、ロータ単体の重量バランス、および回転多面鏡単体の重量バランスを個々に修正してあることに特徴を有する。従って、ロータおよび回転多面鏡の個々の重量バランスを修正してあることから、回転多面鏡を搭載したロータ全体の重量バランスも修正されていることになるので、回転バランスがよい。また、本発明では、回転多面鏡の単体としての重量バランスも修正してあるので、高速回転したときでも回転多面鏡はロータ上で位置ずれを起こさない。それ故、本発明を適用した光偏向器では安定した回転バランスを得ることができる。
　【０００８】
　本発明において、ロータバランス修正部としては孔あるいはバランスウェイトを用いることができる。一方、ミラーバランス修正部としては孔を形成する。この場合には、この孔を回転多面鏡の上端面における対角線上に複数形成することが好ましい。このように、回転多面鏡の対角線上に孔を開けると、これらの孔個々の軽量化の効果を合成したもので回転多面鏡の重量バランスを修正できる。しかも、回転多面鏡の外周面（鏡面）から離れた位置に孔を開けることができるので、孔開け加工時に回転多面鏡の鏡面を歪ませることがないという利点がある。
　【０００９】
　【発明の実施の形態】
　以下に、図面を参照して本発明を適用した光偏向器を説明する。
　【００１０】
［全体構造］
　図１は光偏向器の半断面図である。この図を参照して説明すると、本例の光偏向器１は、モータフレーム２と、このモータフレーム２の表面に直立状態に取り付けられた固定軸３と、この固定軸３の外周に動圧軸受け６によって回転可能に支持されたロータ４と、このロータ４に対向配置されたステータ５とを有している。動圧軸受け６は、固定軸３の外周側面３１とロータ４に形成された軸孔４１１との間に第１および第２の動圧発生溝６１、６２を備え、本例では、第１および第２の動圧発生溝６１、６２は、固定軸３の外周側面３１にヘリングボーン状の溝として形成されている。
　【００１１】
［ロータの構成］
　ロータ４はアルミニウム製などのホルダ４０を有し、このホルダ４０は、前記の軸孔４１１を備えた円筒部４１と、この円筒部４１の外周側面における略中程の位置からラジアル方向の外側に向けて水平に張り出した環状の張出部４２と、この張出部４２の外周縁からモータフレーム２に向かって軸線１ａの方向に垂直に折れ曲がった円筒状の側面部４３と、この側面部４０から外周側に張り出す外周端部４６とを備えている。
　【００１２】
　ホルダ４０の張出部４２は回転多面鏡７の取り付け部であり、そこでは、回転多面鏡７の中心に形成されている嵌め込み孔７０にホルダ４０の円筒部４１を嵌め込んで回転多面鏡７を張出部４２の上に載置する。この状態で、回転多面鏡７は、ミラー押さえばね８およびキャップ９からなるクランプ手段によって張出部４２に向けて弾性をもって押し付け固定されている。ここで、回転多面鏡７の嵌め込み孔７０にロータ４０の円筒部４１を嵌め込む際に回転多面鏡７に過大な応力がかかると、回転多面鏡７に歪みが生じることから、回転多面鏡７の嵌め込み孔７０とロータ４０の円筒部４１との間には適度なクリアランスを設け、このようなクリアランスに起因する回転多面鏡７の位置ずれをミラー押さえばね８で押さえ込んでいる。
　【００１３】
［電機子およびその周辺の構成］
　ホルダ４０の円筒部４１の外周側において、張出部４２の下方位置には、円筒部４１を同心状に取り囲む状態にステータ５が設けられている。ステータ５は、略筒状のコアホルダ５１を備え、このコアホルダ５１の下端がモータフレーム２の上面に固定されている。このホアホルダ５１の上端側の外周側面には、その段差部分を利用してステータコア５２が取り付けられている。このステータコア５２においてラジアル方向に向けて一定の間隔で形成された複数の突極にはステータコイル５３が巻回され、電機子５０が構成されている。これに対して、ロータ４は、ステータコア５２の外周を同心状に取り囲む状態に配置した環状の駆動マグネット４４を備え、この駆動マグネット４４は、ロータ４のホルダ４０に形成した側面部４３の内周側面に固着されたマグネットヨーク４５の内周側面に固定されている。ステータコア５２、駆動マグネット４４の下方におけるモータフレーム２の上面にはモータ基板１２が配置され、この基板１２の上面および下面にはコネクタ１３等の電子部品が搭載されている。
　【００１４】
　固定軸３の先端側において、その先端部には円形の凹部３２が形成され、この凹部３２の内周側面には環状のステータマグネット１４が固定されている。このステータマグネット１４の内側には、キャップ９に固定された環状のロータマグネット１５が配置されている。ここで、ロータマグネット１５の軸線１ａの方向における磁気中心は、ステータマグネット１４の軸線１ａの方向における磁気中心に対して、軸線１ａの方向において固定軸３の側に僅かにずれている。また、ステータマグネット１４とロータマグネット１５とは、同じ極同士が対向しているので、それらの間に発生する磁気的な反発力によってスラスト軸受けが構成され、モータの軸線１ａの方向のがたの発生を抑制している。
　【００１５】
［重量バランスを修正するための構成］
　本例の光偏向器１では、回転多面鏡７を搭載したロータ４全体の重量バランスだけを修正するのではなく、ロータ４の単体としての重量バランス、および回転多面鏡７の単体としての重量バランスを個々修正することに特徴を有する。
　【００１６】
　すなわち、本例では、まず、回転多面鏡７の単体としての重量バランスを検査し、この検査結果に基づいて、図１および図２に示すように、回転多面鏡７の上端面に孔７９（ミラーバランス修正部）を開け、この部分を軽量化することによって、回転多面鏡７の重量バランスを修正してある。
　【００１７】
　このようにして回転多面鏡７の重量バランスを修正するにあたっては、図２に点線で示すように、回転多面鏡７の最適な１ヵ所に孔７９を１つ形成してもよい。但し、孔７９を開ける位置が回転多面鏡７の外周面（鏡面７１）近くのときには、この孔開け加工時に回転多面鏡７の鏡面７１を歪ませるおそれがある。
　【００１８】
　そこで、本形態では、回転多面鏡７の対角線７２（図２に一点鎖線で示す。）上に複数の孔７９を開け、これらの孔７９個々の軽量化の効果を合成したもので回転多面鏡７の重量バランスを修正している。このように、回転多面鏡７の対角線７２上に孔９２を開けるのであれば、回転多面鏡７の外周面（鏡面７１）から離れた位置に孔を開けることができるので、孔開け加工時に回転多面鏡７の鏡面７１を歪ませることがない。
　【００１９】
　次に、ロータ４の単体としての重量バランスを修正する。この修正を行うにあたっては、ロータ４の単体としての重量バランスを検査し、この検査結果に基づいて、図１および図２に示すように、ロータ４のホルダ４０の外周端部４６の上端面に孔４９を開け、この部分を軽量化することによって、ロータ４の重量バランスを修正する。また、回転多面鏡７の単体としての重量バランスについては、前記の方法ですでに修正してあるので、回転多面鏡７を含むロータ４全体の重量バランスを検査し、この検査結果に基づいて、ロータ４のホルダ４０の外周端部４６の上端面に孔４９を開けてこの部分を軽量化すれば、結果的には、ロータ４の単体としての重量バランスを修正したことになる。
　【００２０】
　このようにして、ロータ４の単体としての重量バランス、および回転多面鏡７の単体としての重量バランスを個々修正しておけば、回転多面鏡７を搭載したロータ４全体の重量バランスを修正したことになるので、光偏向器１の回転バランスがよい。しかも、回転多面鏡７の単体としての重量バランスも修正してあるので、回転多面鏡７は単体としても回転バランスがよい。それ故、回転多面鏡７は、ロータ４が高速回転しても、そのときの振動や遠心力でロータ４上で位置ずれを起こすことがなく、良好な回転バランスを維持することができる。
　【００２１】
［その他の実施の形態］
　なお、上記形態では、ロータ４の単体としての重量バランス、および回転多面鏡７の単体としての重量バランスを個々修正するにあたって、回転多面鏡７およびロータ４（ホルダ４０）に孔７９、４９を開けることにより、この部分を軽量化したが、
ミラーバランス修正用の孔７９が回転多面鏡７の上端面の対角線上に複数、形成されている構成の場合には、
　【００２２】
　【発明の効果】
　以上説明したように、本発明に係る光偏向器では、ロータの単体としての重量バランス、および回転多面鏡の単体としての重量バランスを個々修正してあることに特徴を有する。従って、回転多面鏡を搭載したロータ全体の重量バランスを修正したことになるので、光偏向器の回転バランスがよい。しかも、回転多面鏡の単体としての重量バランスも修正してあるので、回転多面鏡は単体としても回転バランスがよい。それ故、回転多面鏡は、ロータが高速回転しても、そのときの振動や遠心力でロータ上で位置ずれを起こすことがなく、良好な回転バランスを維持することができる。
【図面の簡単な説明】
　【図１】
　本発明を適用した光偏向器の概略構成を示す半断面図である。
　【図２】
　図１に示す光偏向器における回転多面鏡およびロータの平面図である。
　【図３】
　従来の光偏向器の概略構成を示す半断面図である。
　【符号の説明】
　１　　光偏向器
　３　　固定軸
　４　　ロータ
　６　　動圧軸受け
　７　　回転多面鏡
　８　　クランプ手段に用いたミラー押さえばね
　９　　クランプ手段に用いたキャップ
　１１　ステータ
　４０　ホルダ
　４１　円筒部
　４９　重量バランス修正用の孔（ロータバランス修正部）
　５０　電機子
　６１、６２　動圧発生溝
　７０　嵌め込み孔
　７１　鏡面
　７２　回転多面鏡の対角線
　７９　重量バランス修正用の孔（ミラーバランス修正部）